(57)【要約】【課題】  不用意なロック解除に対する安全性を確保した上で、ロック解除がロック解除部材の連続操作で簡易に行えるようにする。【解決手段】  ボトル本体１に有した片開き蓋７をロック解除できるようにロックするロック機構８を、片開き蓋７を閉じ位置にロックするロック部材１１と、ロック部材１１のロック、ロック解除の動作方向Ｂとは異なった方向Ａでの予備操作とロック解除動作方向Ｂでのロック部材１１を伴っての本操作との連続操作でロック部材１１によるロックを解除するロック解除部材１２とを備えたことにより、上記の目的を達成する。【選択図】  図４
2006158729.tif 000002
【特許請求の範囲】
【請求項１】
ボトル本体と、ボトル本体の上端部片側を中心に開閉する片開き蓋と、片開き蓋を閉じ位置にロックし、かつロックを解除できるようにしたロック機構とを備えた片開きボトルであって、
ロック機構は、片開き蓋を閉じ位置にロックするロック部材と、ロック部材のロック、ロック解除の動作方向とは異なった方向の予備操作とロック解除動作の方向のロック部材を伴っての本操作との連続操作でロック部材によるロックを解除するロック解除部材とを備えたことを特徴とする片開きボトル。
【請求項２】
ボトル本体と、ボトル本体の上端部片側を中心に開閉し開き方向に付勢された片開き蓋と、片開き蓋を閉じ位置にロックし、かつロックを解除できるようにしたロック機構とを備えた片開きボトルであって、
ロック機構は、片開き蓋が閉じてくると付勢に抗し押し退けられて蓋閉じを可能とし、蓋閉じ後前記付勢により復帰して片開き蓋を閉じ位置にロックするロック部材と、ロック部材のロック、ロック解除の動作方向とは異なった方向の付勢に抗した予備操作とロック解除動作の方向のロック部材を伴っての本操作との連続操作でロック部材によるロックを解除し、操作からの解放で付勢により復帰するロック解除部材と、を備えたことを特徴とする片開きボトル。
【請求項３】
ボトル本体と、ボトル本体の上端部片側を中心に開閉し開き方向に付勢された片開き蓋と、片開き蓋を閉じ位置にロックし、かつロックを解除できるようにしたロック機構とを備えた片開きボトルであって、
ロック機構は、片開き蓋が閉じてくると付勢に抗し押し退けられて蓋閉じを可能とし、蓋閉じ後前記付勢により復帰して片開き蓋を閉じ位置にロックするロック部材と、ロック部材に支持して設けられロック部材のロック、ロック解除の動作方向とは異なった方向の付勢に抗した予備操作とロック解除動作の方向のロック部材を伴っての本操作との連続操作でロック部材によるロックを解除し、操作から解放すると付勢により復帰するロック解除部材とを備えたことを特徴とする片開きボトル。
【請求項４】
ロック解除部材は、予備操作前の初期位置にあるときはストッパと対向してロック解除部材のロック解除方向の本操作を阻止され、初期位置からのロック解除部材のロック解除動作方向とは異なった方向の予備操作でストッパから外れてロック部材のロック解除動作方向の本操作の阻止を解除される請求項１〜３のいずれか１項に記載の片開きボトル。
【請求項５】
ロック部材は、予備操作前のロック解除部材との間にロック解除動作を邪魔されない関係を有している請求項２〜４のいずれか１項に記載の片開きボトル。
【請求項６】
ロック解除部材は、ロック部材にロック解除操作が及ぶのを防止する位置および大きさで設けられている請求項１〜５のいずれか１項に記載の片開きボトル。
【請求項７】
ロック部材は、支点を中心に回動してロック、ロック解除を行うレバー部材であり、ロック解除部材は、ロック部材の支点を境にしたロック解除操作側を覆っている請求項６に記載の片開きボトル。
【請求項８】
ロック解除部材は、ボトル本体側方へ突出した操作部を有している請求項１〜７のいずれか１項に記載の片開きボトル。
【請求項９】
ロック部材のロック解除操作側を覆う大きさで、ロック部材を伴いロック解除動作方向に移動できる基材と、この基材に前記ロック部材のロック解除動作方向とは異なった方向に予備操作でき、ロック部材のロック解除動作方向には一体となるように支持され、ロック解除操作前の初期位置にあるときはストッパと対向してロック解除部材のロック解除方向の本操作を阻止され、ロック解除部材のロック解除動作方向とは異なった方向の予備操作でストッパから外れて前記本操作の阻止を解除されるロック解除操作部材とを備えた請求項７に記載の片開きボトル。
【請求項１０】
ロック解除操作部材は、外方へ突出した操作部を有している請求項９に記載の片開きボトル。
【発明の詳細な説明】
【技術分野】
【０００１】
本発明はボトル本体の上端部片側を中心に開閉する片開き蓋を備えた片開きボトルに関するものである。
【背景技術】
【０００２】
このようなボトルは、片手持ちして片開き蓋を開くとそのまま直飲みできるようなボトルに広く見られ、不用意な蓋開きを防止するために片開き蓋を閉じ位置にロックし、片手持ちしている手の指でロックを解除し片開き蓋を開けられるようにした片開きボトルが知られている（例えば、特許文献１、２参照。）。これにより、ボトルは片手での簡易な取り扱いにより飲料を飲むことができ、携行中などに便利である。特許文献１に記載の片開き蓋は、樹脂ヒンジ部を中心に開閉でき、閉じ位置では自由端部側がボトル本体側の凹部に弾性係合して閉じ位置に保持され、片手持ちしている手の指で片開き蓋の自由端部にある突片に指を掛けて前記凹部との係合を解除することで片開き蓋を開くことができる。特許文献２に記載の片開き蓋はヒンジピンを中心に開閉でき、閉じられると自由端部側がボトル本体側にあるロック位置に付勢されているレバータイプのロックボタンに弾性係合して閉じ位置にロックされ、ロックボタンのボトル本体側へ付勢に抗して押動するロック解除操作で片開き蓋はロックが解除されて付勢により自動的に開かれる。従って、特許文献１に記載のものよりもさらに簡易に開き操作できる。しかし、ロックボタンはボトルの取り扱い上、他に当ったり、押圧されるなどボトル本体側へのロック解除方向の外力を受けやすいので、ロックボタンのロック解除操作側をそれよりも外方へ張り出したガード壁によって外力を受けにくくしているのに加え、ボトル本体の側に係止環を設け、これを閉じた片開き蓋の自由端部の突片に引っ掛けておくことで、ロックボタンがロック解除状態になって片開き蓋が不用意に開かないようにしている。
【特許文献１】実開昭４９−１３５８号公報
【特許文献２】特開２００３−２１２２５８号公報
【発明の開示】
【発明が解決しようとする課題】
【０００３】
しかし、特許文献１に記載のボトルでは、ボトルの取り扱い上閉じられた片開き蓋の自由端部にある突片に蓋開き方向の引っ掛かりなど外力を受けやすく、不用意に開いてしまいやすい。これは片開き蓋が半開きや全開しないまでもボトルの飲み口のシールが解除されてしまうことを意味し、携行中に漏れ出したりして衣服やバッグ内、バッグ類の中身を濡らしてしまう問題に繋がる。
【０００４】
特許文献２に記載のボトルは、ロック解除に対してガード壁と係止環とによる二重の安全が図られて不用意な漏れ出しの問題は解消されているが、ガード壁はロックボタンのロック解除操作の邪魔になって操作し難くする。特に、ガード壁はロックボタンの直下にあってボトル本体を片手持ちしている手指で操作するにはガード壁を越えてのロック解除操作となるので操作はよりし難く、他方の手でロック解除することになる。また、係止環はロックボタンよりも上に延びて片開き蓋を係止していてこの係止をボトル本体を片手持ちしている手の指で解くにはやはり困難であって、これも他方の手による操作になる。いずれにしても、特許文献２に記載のものは係止環の掛け外しと、ロックボタンのロック解除と２つの部材による２つの異なった操作を断続して行うしかなく、これだけでも蓋開き操作の簡易性が損なわれ、使用し難いものとなっている。
【０００５】
本発明の目的は、不用意なロック解除に対する安全性を確保した上で、ロック解除がロック解除部材の連続操作で簡易に行える片開きボトルを提供することを目的としている。
【課題を解決するための手段】
【０００６】
上記の目的を達成するために、本発明の片開きボトルは、ボトル本体と、ボトル本体の上端部片側を中心に開閉する片開き蓋と、片開き蓋を閉じ位置にロックし、かつロックを解除できるようにしたロック機構とを備えた片開きボトルであって、ロック機構は、片開き蓋を閉じ位置にロックするロック部材と、ロック部材のロック、ロック解除の動作方向とは異なった方向の予備操作とロック解除動作の方向のロック部材を伴っての本操作との連続操作でロック部材によるロックを解除するロック解除部材とを備えたことを１つの特徴としている。
【０００７】
このような構成では、片開き蓋はロック機構のロック部材によって閉じ位置にロックすることができ、ロック部材による片開き蓋のロックは、ロック解除部材によるロック部材のロック解除動作方向とは異なった方向の予備操作、つまりロック部材によるロックの解除に関与しない余分な操作を先行させてしか解除できず、ロック解除部材にロック解除方向の不用意な外力が単に働いてもロックは解除されない。しかし、ロック解除はロック解除部材の前記予備操作と、ロック部材のロック解除動作方向のロック部材を伴っての本操作との連続操作で解除できる。
【０００８】
本発明の片開きボトルは、また、ボトル本体と、ボトル本体の上端部片側を中心に開閉し開き方向に付勢された片開き蓋と、片開き蓋を閉じ位置にロックし、かつロックを解除できるようにしたロック機構とを備えた片開きボトルであって、ロック機構は、片開き蓋が閉じてくると付勢に抗し押し退けられて蓋閉じを可能とし、蓋閉じ後前記付勢により復帰して片開き蓋を閉じ位置にロックするロック部材と、ロック部材のロック、ロック解除の動作方向とは異なった方向の付勢に抗した予備操作とロック解除動作の方向のロック部材を伴っての本操作との連続操作でロック部材によるロックを解除し、操作からの解放で付勢により復帰するロック解除部材と、を備えたことを別の特徴としている。
【０００９】
このような構成では、片開き蓋を付勢に抗して閉じると、ロック機構のロック部材は付勢に抗し一旦押し退けられて蓋閉じを可能とし、蓋閉じ後前記付勢により復帰して片開き蓋を付勢に抗して閉じ位置に自動的にロックすることができ、ロック部材による片開き蓋のロックは、ロック解除部材によるロック部材のロック解除動作方向とは異なった方向の予備操作、つまりロック部材によるロックの解除に関与しない余分な操作を先行させてしか解除できず、ロック解除部材にロック解除方向の不用意な外力が単に働いてもロックは解除されない。しかし、ロック解除はロック解除部材の前記予備操作と、ロック部材のロック解除動作方向のロック部材を伴っての本操作との連続操作で解除でき、ロック解除によって片開き蓋は付勢によって自動的に開く。
【００１０】
本発明の片開きボトルは、また、ボトル本体と、ボトル本体の上端部片側を中心に開閉し開き方向に付勢された片開き蓋と、片開き蓋を閉じ位置にロックし、かつロックを解除できるようにしたロック機構とを備えた片開きボトルであって、ロック機構は、片開き蓋が閉じてくると付勢に抗し押し退けられて蓋閉じを可能とし、蓋閉じ後前記付勢により復帰して片開き蓋を閉じ位置にロックするロック部材と、ロック部材に支持して設けられロック部材のロック、ロック解除の動作方向とは異なった方向の付勢に抗した予備操作とロック解除動作の方向のロック部材を伴っての本操作との連続操作でロック部材によるロックを解除し、操作から解放すると付勢により復帰するロック解除部材とを備えたことを他の特徴としている。
【００１１】
このような構成では、片開き蓋を付勢に抗して閉じると、ロック機構のロック部材は付勢に抗し一旦押し退けられて蓋閉じを可能とし、蓋閉じ後前記付勢により復帰して片開き蓋を付勢に抗して閉じ位置に自動的にロックすることができ、ロック部材による片開き蓋のロックは、ロック部材上でのロック解除部材によるロック部材のロック解除動作方向とは異なった方向の予備操作、つまりロック部材によるロックの解除に関与しない余分な操作を先行させてしか解除できず、ロック解除部材にロック解除方向の不用意な外力が単に働いてもロックは解除されない。しかし、ロック解除はロック解除部材の前記予備操作と、ロック部材のロック解除動作方向のロック部材を伴っての本操作との連続操作で解除でき、ロック解除によって片開き蓋は付勢によって自動的に開く。
【００１２】
ロック解除部材が、予備操作前の初期位置にあるときはストッパと対向してロック解除部材のロック解除方向の本操作を阻止され、初期位置からのロック解除部材のロック解除動作方向とは異なった方向の予備操作でストッパから外れてロック部材のロック解除動作方向の本操作の阻止を解除される、さらなる構成では、
ロック解除部材とストッパとの２部材間の関係だけで、ロック解除部材の予備操作前の初期位置でのロック解除操作、本操作を阻止し、予備操作に続く本操作によってのみロック解除操作、本操作できるようにすることが実現する。
【００１３】
ロック部材が、予備操作前のロック解除部材との間にロック解除動作を邪魔されない関係を有している、さらなる構成では、
ロック解除部材が予備操作されず、ロック解除操作できない初期位置にあることに関係なく、片開き蓋が閉じられるときのロック部材の一時的なロック位置からの押し退けないしは退避とその後のロック位置への復帰を邪魔しないので、片開き蓋を閉じ位置にロックすることができる。
【００１４】
ロック解除部材が、ロック部材にロック解除操作が及ぶのを防止する位置および大きさで設けられている、さらなる構成では、
ロック部材に直接ロック解除力が及ぶのをロック解除部材によって邪魔し、ロック解除部材の操作によってだけロック解除されることを保証する。
【００１５】
ロック部材は、支点を中心に回動してロック、ロック解除を行うレバー部材であり、ロック解除部材が、ロック部材の支点を境にしたロック解除操作側を覆っている、さらなる構成では、
ロック部材の支点を中心にした単純で極く少ない動作により片開き蓋のロック、ロック解除ができ、ロック解除部材がロック部材の支点を境にしたロック解除操作側を覆うだけで、ロック解除部材以外によるロック解除が行われるのを阻止することができる。
【００１６】
ロック解除部材が、ボトル本体側方へ突出した操作部を有している、さらなる構成では、
ロック解除部材により片開き蓋のロックを解除するのに、ボトル本体側方へ突出した操作部によって方向の違う予備操作および本操作の連続操作を他の邪魔なく行える。
【００１７】
ロック部材のロック解除操作側を覆う大きさで、ロック部材を伴いロック解除動作方向に移動できる基材と、この基材に前記ロック部材のロック解除動作方向とは異なった方向に予備操作でき、ロック部材のロック解除動作方向には一体となるように支持され、ロック解除操作前の初期位置にあるときはストッパと対向してロック解除部材のロック解除方向の本操作を阻止され、ロック解除部材のロック解除動作方向とは異なった方向の予備操作でストッパから外れて前記本操作の阻止を解除されるロック解除操作部材とを備えた、さらなる構成では、
ロック解除部材は、その基材によってロック部材のロック解除操作側を十分な範囲で覆いながら、ロック解除操作部材を予備操作できるように支持して、予備操作後はロック部材と共に、ロック解除操作部材のロック解除操作に同動してロックが解除されるようにし、ロック解除操作部材はロック部材のロック解除操作側を覆う大きさや形状を持たなくてよいようにし、予備操作が他の邪魔になり難くする。
【００１８】
この場合も、ロック解除操作部材は、外方へ突出した操作部を有している、さらなる構成によって、ロック解除操作部材を小さくしても外部に突出する操作部によって予備操作、本操作の連続操作を容易に行えるようになる。
【００１９】
本発明のそれ以上の目的および特徴は、以下の詳細な説明および図面の記載によって明らかになる。本発明の各特徴はそれ自体単独で、あるいは可能な限り種々な組合せで複合して採用することができる。
【発明の効果】
【００２０】
本発明の片開きボトルの１つの特徴によれば、片開き蓋を閉じ位置にロックでき、このロックは、ロック解除部材のロックの解除に関与しない余分な操作の先行なしにロック解除方向の不用意な外力が単に働いてもロックは解除されず安全であるし、ロック解除部材の前記予備操作と、ロック部材を伴ってするロック解除方向の本操作との連続操作で簡易に解除でき、片手持ち状態で片手操作するのに便利である。
【００２１】
本発明の片開きボトルの別の特徴によれば、片開き蓋を付勢に抗して閉じるとロック部材により自動的にロックでき、このロックは、ロック解除部材のロックの解除に関与しない余分な操作の先行なしにロック解除方向の不用意な外力が単に働いてもロックは解除されず安全であるし、ロック解除部材の前記予備操作と、ロック部材を伴ってするロック解除方向の本操作との連続操作で簡易に解除して片開き蓋を自動で開かれ、片手持ち状態で片手操作するのに便利である。
【００２２】
本発明の片開きボトルの他の特徴によれば、片開き蓋を付勢に抗して閉じるとロック部材により自動的にロックでき、このロックは、ロック解除部材のロックの解除に関与しない余分な操作の先行なしにロック解除方向の不用意な外力が単に働いてもロックは解除されず安全であるし、ロック解除部材の前記予備操作と、ロック部材を伴ってするロック解除方向の本操作との連続操作で簡易に解除して片開き蓋を自動で開かれ、片手持ち状態で片手操作するのに便利であり、ロック機構が１つのアッセンブリ部品として取り扱えボトル本体への組付の手間および構造共に簡略化する。
【００２３】
ロック解除部材の予備操作前後でのストッパとの位置関係の変化を利用しただけの簡単な構成によって、ロック解除部材の初期位置でのロック解除操作阻止と、予備操作後ロック解除操作阻止の解除とを実現できる。
【００２４】
ロック解除部材が予備操作されず、ロック解除操作できない初期位置にあっても、ロック部材は片開き蓋が閉じられたときのロック部材によるロック動作ができる。
【００２５】
ロック解除部材の存在でロック部材に直接ロック解除力を及ぼさせず、ロック解除部材の操作によってだけロック解除されることを保証し、不用意なロック解除に対する安全性が向上する。
【００２６】
ロック部材の支点による単純で極く少ない動作で片開き蓋のロック、ロック解除ができ、ロック部材のロック解除操作側が覆われるだけでロック解除部材のみによってロック解除されるようにできる。
【００２７】
ロック解除部材はボトル本体側方へ突出した操作部によって方向の違う予備操作および本操作の連続操作によるロック解除を他の邪魔なくさらに容易に行える。
【００２８】
ロック解除部材は非操作系の基材を有してロック部材のロック解除操作側を有利に覆って、しかも、ロック解除操作部材を支持して予備操作および本操作させ、この本操作時に基材およびロック部材共に同動してロックが解除されるようにし、ロック解除操作部材は基材よりも小さい予備操作しやすく他の邪魔になり難くいものとすることができる。
【００２９】
このようにロック解除操作部材を小さくしても、外部に突出する操作部によって予備操作、本操作の連続操作をより容易に行える。
【発明を実施するための最良の形態】
【００３０】
以下、本発明の実施の形態に係る片開きボトルについて図１〜図８を参照しながら説明し、本発明の理解に供する。しかし、以下の説明は本発明の具体例であって、特許請求の範囲の記載の内容を限定するものではない。
【００３１】
本実施の形態の片開きボトルは、図１に示すように、内、外壁がステンレス製でそれらの間に真空断熱空間２を有した金属製のボトル本体１と、このボトル本体１の口部１ａの外壁に形成した雄ねじ３に雌ねじ４をねじ合わせてシールパッキン９を介し装着した合成樹脂製の肩部材５と、この肩部材５の後部に開閉中心６を有して設けられた合成樹脂製の片開き蓋７と、片開き蓋７を閉じ位置にロックし、かつロックを解除できるようにしたロック機構８とを備えている。しかし、ボトル本体１の具体的な構造や肩部材５の有無、片開き蓋７を含む材質は本発明において特に限定されるものではない。
【００３２】
ロック機構８は図１〜図５に最良の例を示しているが、図６の例、図７の例を含め、ボトル本体１と片開き蓋７の自由端との割線部のボトル本体１側、具体的には肩部材５の側面に設けられて、一部が片開き蓋７側に跨った部分でロックするようにしており、片開き蓋７を閉じ位置にロックするロック部材１１と、ロック部材１１のロック、ロック解除の動作方向Ｂとは異なった方向Ａでの予備操作とロック解除動作の方向Ｂでのロック部材１１を伴っての本操作との連続操作でロック部材１１によるロックを解除するロック解除部材１２とを備えたことを共通の構成としている。これにより、片開き蓋７はロック部材１１によって図１、図６、図７に示すように閉じ位置にロックすることができる。
【００３３】
ロック部材１１による片開き蓋７のロックは、ロック解除部材１２による図１の状態から図４（ａ）の状態への変化で示し、図６の実線の状態から破線の状態への変化で示し、図７の実線の状態から破線の状態への変化で示すようなロック部材１１のロック解除動作方向Ｂとは異なった方向Ａでの予備操作、つまりロック部材１１によるロックの解除に関与しない余分な操作を先行させてしか解除できない。従って、ロック解除部材１２にロック解除方向Ａの不用意な外力が単に働いても片開き蓋７のロック部材１１によるロックは解除されない。しかし、このような不用意なロック解除に対する安全を確保しながらも、ロック解除はロック解除部材１２による前記予備操作と、ロック部材１１を伴った図４（ａ）の状態から図４（ｂ）の状態への変化で示し、図６の実線の状態から仮想線の状態の変化で示し、図７の実線の状態から仮想線の状態の変化で示すような、ロック部材１１のロック解除動作方向Ｂの本操作と、の連続操作で容易に解除できる。
【００３４】
このように、各例に共通した基本的な構成によっても、片開き蓋７を閉じ位置にロックでき、このロックは、ロック解除部材１２のロックの解除に関与しない余分なＡ方向での予備操作の先行なしにロック解除部材１２にロック解除方向Ｂの不用意な外力が単に働いてもロックは解除されず安全であるし、ロック解除部材１２の前記予備操作と、ロック部材１１を伴ってするロック解除方向Ｂの本操作との連続操作で簡易に解除でき、片手持ち状態で片手操作するのに便利である。
【００３５】
これに関連して、本実施の形態の片開きボトルのボトル本体１は、片手持ちできる程度にスリム化した胴部１ｂを有し、口部１ａは肩部材５を装着してボトル本体１の胴部１ｂよりもやや小径の首部１ｃをなし、胴部１ｂおよび首部１ｃの間のくびれ部１ｄを片手持ちして、片手持ちしている手の指で片開き蓋７のロック機構８によるロック解除を伴う開き操作やそれによる直飲みなどするのに扱いやすくしている。特に、片開き蓋７は口部１ａの後部側にヒンジピンなどによる開閉中心６を持ち、ロック機構８は口部１ａの前部側で片開き蓋７の自由端部７ａ側をボトル本体１側から閉じ位置にロックするようにしてあるので、ボトル本体１を片手持ちしながらその前部で片手持ちしている手の親指でロック解除部材１２を解除操作して片開き蓋７を後方へ開けられるようになり、そのままボトル本体１を前側に傾けて直飲みできる便利なものとしている。しかも、片開き蓋７は肩部材５の肩部に装着した弾性体１３によって開き方向の付勢を受けるようにしてあり、ロックが解除されると自動的に半開きないしは前開状態になり直ぐに直飲みなどできるようにしている。半開きでもボトル本体１を後方へ振れば片開き蓋７は自重によるモーメントによって難なく全開状態に至り直飲みなどの邪魔になることはない。また、直飲みしやすいように肩部材５はボトル本体１の口部１ａよりも小さく絞った飲み口部１４を一体形成しており、片開き蓋７は閉じ位置にてこの飲み口部１４を自身の天井部内面に設けたシールパッキン１６によって密閉できるようにしている。このシールパッキン１６を利用して片開き蓋７を飲み口部１４との間で開き方向に付勢することもできる。弾性体１３は片開き蓋７の開閉中心の近くに位置しているので、片開き蓋７に対する小さな押圧代で大きく開かせられる利点がある。
【００３６】
さらに、各例に共通してロック部材１１は、図１〜図４に示し、図６に示し、図７に示すようにロック位置に向け付勢するばね２１を働かせ、片開き蓋７が閉じてくると図４（ｃ）に示すように、ロック爪１１ａが片開き蓋７の係合部７ｂによってばね２１の付勢に抗し一旦押し退けられて蓋閉じを可能とし、蓋閉じ後前記ばね２１の付勢によりロック爪１１ａが図４（ａ）のロック位置に復帰して係合部７ｂに係合して片開き蓋７を閉じ位置にロックするようにしている。これにより、片開き蓋７を付勢に抗して閉じると、ロック機構８のロック部材１１は付勢に抗し一旦押し退けられて蓋閉じを可能とし、蓋閉じ後前記付勢により復帰して片開き蓋７をその開き方向の付勢に抗して閉じ位置に自動的にロックすることができる。従って、ボトル本体１を片手持ちして他方の手で片開き蓋７をボトル本体１に対して閉じるだけで不用意なロック解除に対する安全を確保したロック状態とすることができ、そのまま携行したり、収納したりするのに安心して取り扱える。上記のような自動ロックのために係合部７ｂとロック爪１１ａの対向部には蓋閉じの際にロック爪１１ａを押し退けるための斜面やアール面とした滑り面７ｂ、１１ｂを形成している。
【００３７】
ロック部材１１による片開き蓋７のロックを解除するロック解除部材１２は、図１〜図５の例、図６の例で示すようにロック部材１１に支持して設けることができ、これにより、ロック部材１１による片開き蓋７のロックは、ロック部材１１上であるが、既述の場合と同様にロック解除部材１２によるロック部材１１のロック解除動作方向Ｂとは異なった方向Ａでの予備操作を先行させてしか解除できず、ロック解除部材１２にロック解除方向の不用意な外力が単に働いてもロックは解除されないし、ロック解除はロック解除部材１２の前記予備操作と、ロック部材１１のロック解除動作方向Ｂのロック部材１１を伴っての本操作との連続操作で解除できる。特に、ロック機構８が１つのアッセンブリ部品として取り扱えボトル本体１への組付の手間および構造共に簡略化する。しかし、図７に示す例のようにボトル本体１側に設けたガイド溝２２などによって支持し働かせることもできる。
【００３８】
ロック部材１１のロック、ロック解除は、スライド方式でロック爪１１ａが進退するようにしてもよいが、図１〜図５に示す例、図６に示す例、図７に示す例のように、支点２３を中心とした回動によってロック爪１１ａの蓋閉じ時の片開き蓋７における係合部７ｂに対する退避と、蓋閉じ後のばね２１の付勢による復帰との進退を行わせるレバータイプにすると、ロック部材１１の支点２３を中心にした単純で極く少ない動作により片開き蓋７のロック、ロック解除ができる。また、ロック解除部材１２がロック部材１１の支点２３を境にしたロック解除操作側、つまり図示するようにロック部材１１の支点２３の下側を覆うだけで、ロック部材１１にロック解除方向Ｂの外力が直接作用するようなことが回避され、ロック解除部材１２の操作以外によるロック解除が行われるのを阻止することができる。これには、ロック解除部材１２はロック部材１１のロック解除操作側部分１１ｃを十分に覆う位置および大きさ、形状を有していることが必要である。このようにすると、ロック部材１１に直接ロック解除力が及ぶのをロック解除部材１２によって邪魔し、ロック解除部材１２の操作によってだけロック解除されることを保証することができ、不用意なロック解除に対する安全性が高まる。
【００３９】
しかし、ロック部材１１のロック爪１１ａにボトル本体１からの引き離し側、つまり後退側への外力が万一にも働けば片開き蓋７のロックが解除されてしまうので、ロック部材１１が片開き蓋７をロックした状態では図１、図６、図７に示すように片開き蓋７の側周面とロック爪１１ａの外面とがほぼ面一になるようにして、そのような引き離し側、後退側への外力が働かないようにしている。具体的には片開き蓋７の係合部７ｂを形成している部分を、ロック爪１１ａが片開き蓋７の側周面と面一になるまで入り込んで係合する凹部７ｄに形成している。
【００４０】
ロック解除部材１２が、図１、図６の実線、図７の実線に示すように予備操作前の初期位置にあるとき、ロック部材１１に対するロック解除の操作ができなくするのに、図１、図６に示す例ではボトル本体１側、具体的には肩部材５に一体成形するなどしてもうけた突起状のストッパ２４に図２などで示すように対向させて、図７に示す例ではガイド溝２２のストッパ部２２ａによって、ロック解除部材１２のロック解除方向Ｂの本操作を阻止するようにしてあり、初期位置からのロック解除部材１２のロック解除動作方向Ｂとは異なった方向Ａでの予備操作でストッパ２４やストッパ部２２ａとの対向位置から外れて、ロック部材１１のロック解除動作方向Ｂでの本操作の阻止を解除されるようにしている。これにより、ロック解除部材１２とストッパ２４やストッパ部２２ａとの２部材間の関係だけで、ロック解除部材１２の予備操作前の初期位置でのロック解除操作、本操作を阻止し、予備操作に続く本操作によってのみロック解除操作、本操作できるようにすることが実現する。
【００４１】
また、以上のような構成においてロック部材１１が、ばね２１の付勢によって片開き蓋７を自動ロックするには、予備操作前のロック解除部材１２との間にロック部材１１自体のロック解除動作、つまり蓋閉じ時の片開き蓋７によるロック解除位置への押し退けを邪魔されない関係を有している必要がある。このため、ロック解除部材１２はロック解除操作が阻止される予備操作前の初期位置では、ロック部材１１との間にロック部材１１のロック解除動作を拘束しない遊び構造を有したものとしている。これにより、ロック解除部材１２が予備操作されず、ロック解除操作できない初期位置にあることに関係なく、片開き蓋７が閉じられるときのロック部材１１の一時的なロック位置からの押し退けないしは退避とその後のロック位置への復帰を邪魔しないので、片開き蓋７を閉じ位置にロックすることができ、ロック部材１１にばね２１などによる付勢を働かせてあるときは自動ロックすることができる。
【００４２】
さらに、ロック解除部材１２は、ボトル本体１の側方へ突出した操作部１２ｂを有し、このボトル本体１の側方へ突出した操作部１２ｂによって方向の違う予備操作および本操作の連続操作によるロック解除を他の邪魔なくさらに容易に行える。
【００４３】
ここで、図１〜図５に示す例について詳述すると、ロック解除部材１２は、ロック部材１１のロック解除操作側を覆う大きさで、ロック部材１１を伴いロック解除動作方向Ｂに移動できる基材１２１と、この基材１２１に前記ロック部材１１のロック解除動作方向Ｂとは異なった方向Ａに予備操作でき、ロック部材１１のロック解除動作方向Ｂには一体となるように支持され、ロック解除操作前の初期位置にあるときはストッパ２４と対向してロック解除部材１２のロック解除方向Ｂの本操作を阻止され、ロック解除部材１２のロック解除動作方向Ｂとは異なった方向Ａでの予備操作でストッパ２４との対向位置から外れて前記本操作の阻止を解除されるロック解除操作部材１２２とを備えたものとしている。これにより、ロック解除部材１２は、その基材１２１によってロック部材１１のロック解除操作側を十分な範囲で覆いながら、ロック解除操作部材１２２を予備操作できるように支持して、予備操作後はロック部材１１と共に、ロック解除操作部材１２２のロック解除操作に同動してロックが解除されるようにし、ロック解除操作部材１２２はロック部材１１のロック解除操作側を覆う大きさや形状を持たなくてよいようにし、予備操作が他の邪魔になり難くする。ここに、ロック解除部材１２は非操作系の基材１２１を有してロック部材１１のロック解除操作側を有利に覆って、しかも、ロック解除操作部材１２２を支持して予備操作および本操作させ、この本操作時に基材１２１およびロック部材１１共に同動してロックが解除されるようにし、ロック解除操作部材１２２は基材１２１よりも小さい予備操作しやすく他の邪魔になり難くいものとすることができる。
【００４４】
さらに具体的には、ロック機構８は図２、図３に示すようなロック部材１１と、基材１２１およびロック解除操作部材１２２からなるロック解除部材１２との組合せよりなる。基材１２１はＵ字形枠１２１ａとその左右の上端部に設けた取付孔１２１ｂとを有し、この取付孔１２１ｂの内側開口のまわりにはロック部材１１の取付孔１１ｄと嵌まり合って支点２３を与える支点軸１２１ｃを形成している。この取付孔１１ｄと支点軸１２１ｃとの嵌め合いによってロック部材１１と基材１２１とが互いに回動し合えるように組み合わされる。一方、ロック解除操作部材１２２は平坦な背面に、基材１２１のＵ字形枠１２１ａの内側に表裏に段差を有して形成している支持板１２１ｄの左右にあるスリット１２１ｅに弾性係合して上下にスライドできるように支持されるフック片１２２ａが一体形成され、正面には前記操作部１２ｂが一体成形されている。このスリット１２１ｅとフック片１２２ａとの係合によって基材１２１にロック解除操作部材１２２が組みつけられる。以上でロック機構８は１つのアッセンブリ部品となり単体で取り扱える。
【００４５】
このアッセンブリ部品をなすロック機構８はボトル本体１の側面、具体的には肩部材５の側面に有した図１、図２、図４に示すような凹部３１内に配置して軸３２により取付孔１２１ｂにて回動できるように支持され、図１、図４に示すようにロック部材１１のロック爪１１ａと基材１２１と、ロック解除操作部材１２２の操作部１２ｂまわりとがボトル本体１の側面、具体的には肩部材５の側面とほぼ面一になり、操作部１２ｂがボトル本体１の側面から側方に突出するようになる。これには基材１２１の表裏の段差、ロック部材１１のロック爪１１ａとロック解除操作側部分１１ｃとの段差が働いている。
【００４６】
凹部３１の底面のばね受３１ａとロック部材１１のロック解除操作側部分１１ｃのばね受１１ｅとの間には図１、図２、図４に示すようにばね２１が働かされ、ロック部材１１をその上部背面１１ｆが凹部３１の上部ストッパ縁３１ｂに当接するロック位置に付勢するようにしている。従って、片開き蓋７が開いていて閉じ位置になくてもロック部材１１は図１に示すロック位置に安定しており、片開き蓋７が閉じられてくると既述したように自動的にロックすることができる。また、基材１２１はこのロック部材１１のロック位置への移動に際し、そのロック解除操作側部分１１ｃによって押動されて同動し上部背面１２１ｈがストッパ縁３１ｂに当接し、肩部材５の側面から張り出す側への回動を阻止されている。
【００４７】
以上から、基材１２１はそれに支持しているロック解除操作部材１２２とロック解除部材１２を構成して、図１、図４（ａ）に示す肩部材５の側面にほぼ面一となる通常位置に常時安定することになる。また、ロック部材１１はこのロック解除部材１２に対し、それがロック解除操作を阻止される初期位置にあっても、片開き蓋７が閉じられてくるときの、押し退けによる図４（ｃ）に示す単独でのロック解除動作と、蓋閉じ後のロック位置への単独の復帰動作とを邪魔されない関係、ロック解除部材１２と関係なく単独でロック解除、ロックの往復動ができる関係を満足している。
【００４８】
一方、ロック解除操作部材１２２は基材１２１に対してそのスリット１２１ｅにフック片１２２ａが沿って上下に摺動でき、図１に示すようにフック片１２２ａが凹部３１の底部に一体成形されたストッパ２４と対向してロック解除操作が阻止される上部の初期位置から、図４（ａ）（ｂ）に示すようにフック片１２２ａがストッパ２４との対向位置から外れて、図４（ａ）の状態から図４（ｂ）の状態にロック解除操作できる下部位置までロック部材１１のロック解除動作方向Ｂと異なる下向きな方向Ａに予備操作できるようにしている。ロック解除操作部材１２２は前記の初期位置へ上動復帰できるのは勿論である。ここに、ロック解除部材１２はロック解除操作部材１２２の図１から図４（ａ）への予備操作によって、基材１２１とロック解除操作部材１２２が一体となってロック部材１１のロック解除操作側部分１１ｃを伴うばね２１に抗した図４（ａ）から図４（ｂ）へのロック解除動作ができ、ロック解除部材１２ないしはロック解除操作部材１２２を操作から解放すると、ロック部材１１のばね２１によるロック位置への復帰とともにロック解除部材１２、従って、基材１２１およびロック解除操作部材１２２は図１、図４（ａ）のロック解除の本操作前の状態に押し戻される。
【００４９】
基材１２１における支持板１２１ｄの左右のスリット１２１ｅを形成している部分の内側が図２、図３に示すような上方へ延びる左右一対の樹脂ばね１２１ｆとなっていて、これら樹脂ばね１２１ｆの内側に屈曲した左右一対のツマミ突起１２１ｇ、１２１ｇが、ロック解除操作部材１２２の背面の図３に示すような左右方向中央に形成した下向きの三角形をなす凸条１２２ｅを図５に示すように左右から弾性的につまむ状態にしてある。ツマミ突起１２１ｇ間は、図５（ａ）に示すように基材１２１上で上動した初期位置にあるロック解除操作部材１２２の凸条１２２ｅと向する下部分の小さな幅程度で、ロック解除操作部材１２２が図５（ａ）の初期位置からロック解除方向Ｂとは異なった方向Ａに図５（ｂ）の下動位置まで本操作されるとき、ツマミ突起１２１ｇの間隔が図５（ａ）の状態から図５（ｂ）の状態に樹脂ばね１２１ｆの弾性変形を伴って左右に押し広げられる。この結果、ロック解除操作部材１２２をロック解除操作から解放すると、樹脂ばね１２１ｆの弾性復帰力によるツマミ圧が凸条１２２ｅの両側に働いているので、凸条１２２ｅの三角形側面を上方へ滑り逃がす付勢作用をする。このためロック解除操作部材１２２は操作からの解放と同時に、基材１２１がロック解除操作部材１２２を伴って図４（ｂ）のロック解除位置から図４（ａ）の通常位置にばね２１の付勢で復帰するのに併せ、前記ツマミ突起１２１ｇの付勢作用によって基材１２１上の上方へスライドされて図４（ａ）の予備操作終了位置から図１の初期位置に復帰させられる。しかし、このようなロック部材１１、ロック解除部材１２、基材１２１、ロック解除操作部材１２２の復帰のための付勢手段や構造は特に限定されるものではない。
【００５０】
なお、弾性体１３はシリコンゴムなどで肩部材５の肩部の突起５ｃに嵌め合わされたキャップ形状をなし、突起５ｃへの嵌め合わせ部がバックアップとなってそれよりも細く斜め後方に向け突出し、弾力性に富んだ先端部１３ａをなし、片開き蓋７の側の突片７ｆとの間で片開き蓋７を開き、９０°を超えた安定角度に片開き蓋７自体のストッパ７ｅなどにより肩部材５との間で安定するようにしてある。しかし、安定角度を１８０°以上とすることもできる。このような自動開きのために、片開き蓋７の蓋閉じに際しては突片７ｆが弾性体１３の先端部１３ａに優先的に圧接して、所定の圧接代の押圧を達成した後に、片開き蓋７のシールパッキン１６が飲み口部１４に圧着していくようにしいる。しかし、シールパッキン１６の復元力も弾性体１３に併せ片開き蓋７の押し開きに関与する。また、飲み口部１４はロック機構８の側に傾けたり偏心させたりすると、片開き蓋７側による邪魔を軽減することができる。
【００５１】
図６に示す例について詳述する。ロック解除部材１２は単体よりなり、ロック部材１１に対しその窓４１に脚部１２ｄを嵌め合わせるなどして、ロック解除方向Ｂとは異なる方向Ａでの実線の初期位置から破線の位置への予備操作ができ、かつストッパ２４によってロック解除操作を阻止される実線の初期位置において、ロック部材１１が蓋閉じ時の自動ロックのために、ロック解除動作およびロック動作が単独でできる遊びを持つように支持してある。一方、ロック解除部材１２とロック部材１１との間に図示するようなばね４２を働かせれば、ロック解除操作から解放すると同時にロック解除部材１２はロック部材１１上で初期位置まで戻される。
【００５２】
図７に示す例について詳述する。ロック解除部材１２は単体で、左右の角軸５１をボトル本体１側に鉤型に形成したガイド溝２２に嵌め入れてロック解除方向Ｂとは異なる方向Ａでの予備操作に続いてロック解除方向Ｂでの本操作ができるように支持して、ロック部材１１のロック解除操作側部分１１ｃに対向させてある。これにより、実線で示す初期位置では角軸５１がガイド溝２２の縦向き部に位置してストッパ部２２ａと対向し、ロック解除方向Ｂの操作を阻止されているが、ガイド溝２２の縦向き部に沿ってロック解除方向Ｂと異なる下向きの方向Ａに破線位置まで予備操作されると、角軸５１はストッパ部２２ａとの対向位置から外れてガイド溝２２の横向き部に位置しロック解除方向Ｂに仮想線位置まで本操作できるようになる。この予備操作に連続した本操作によってロック解除部材１２のロック解除操作側部分１１ｃを押動してロック解除することができる。ロック解除部材１２をロック解除操作から解放すると、ロック解除部材１２はボトル本体１との間にガイド溝２２の縦向き部および横向き部に対して斜め方向に働かせたばね５２によって、仮想線の位置から破線の位置へ、破線の位置から実線の位置への順次に戻され初期位置に自動復帰される。ロック部材１１はそのロック解除操作側部分１１ｃがロック解除部材１２と対向しているだけで、それを支持していず全く独立して蓋閉じ時の自動ロックのためのロック解除動作、ロック動作ができる。
【００５３】
片開き蓋７は図８に示すように片開き蓋７の側に設けた弾性体１３とボトル本体１側との押圧代によって開き方向に付勢するようにもできる。この場合、片開き蓋７の開閉中心側に弾性体１３が位置していることにより、片手持ちして飲料を直飲みするような場合片開き蓋７の内面が直飲みする人の顔に対面するが、邪魔にならない位置となる。
【００５４】
なお、本実施の形態では、ロック解除方向Ｂがボトル本体１の外面から内側に向き、これと異なる方向Ａが下向きの縦方向であるが、どのような方向の組合せでもよいし、両方向Ａ、Ｂが必ずしも直角の関係にならなくてもよい。
【産業上の利用可能性】
【００５５】
本発明は、片開き蓋を持った片開きボトルに実用でき、蓋のロックの安全を確保しながらもロック解除が容易に行える。
【図面の簡単な説明】
【００５６】
【図１】本発明の実施の形態に係る片開きボトルを示す上部の断面図である。
【図２】図１のボトルのロック機構をボトル本体のロック機構装着部とともに表側から見た分解斜視図である。
【図３】図２のロック機構の裏側から見た分解斜視図である。
【図４】図１のボトルのロック機構部を、予備操作状態と、予備操作後のロック解除を行う本操作状態と、蓋閉じ時の自動ロックのためのロック部材の単独退避状態とで示す断面図である。
【図５】図２、図３のロック機構のロック解除部材における基材とロック解除操作部材との、呼び操作前の関係状態と、予備操作後の関係状態とを示す外観正面図および一部取り除き正面図である。
【図６】本発明の片開きボトルの別のロック機構例を示す断面図である。
【図７】本発明の片開きボトルの他のロック機構例を示す断面図である。
【図８】本発明の片開きボトルの別の例を示す一部断面図である。
【符号の説明】
【００５７】
１  ボトル本体
１ａ  口部
５  肩部材
７  片開き蓋
７ａ  自由端部
７ｂ  係合部
８  ロック機構
１１  ロック部材
１１ａ  ロック爪
１１ｃ  ロック解除操作側部分
１１ｄ  取付孔
１２  ロック解除部材
１２ｂ  操作部
１２１  基材
１２１ｂ  取付孔
１２１ｃ  支点軸
１２１ｆ  樹脂ばね
１２２  ロック解除操作部材
１２２ｅ  凸条
１３  弾性体
１４  飲み口
２１、５２  ばね
２２  ガイド溝
２２ａ  ストッパ部
２３  支点
２４  ストッパ
３１  凹部
３２  軸
４１  窓
５１  角軸
【図１】
2006158729.tif 000003
【図２】
2006158729.tif 000004
【図３】
2006158729.tif 000005
【図４】
2006158729.tif 000006
【図５】
2006158729.tif 000007
【図６】
2006158729.tif 000008
【図７】
2006158729.tif 000009
【図８】
2006158729.tif 000010